(57)【特許請求の範囲】
【請求項１】
排米装置と、この排米装置の隣接に設けられ、炊飯器を複数段垂直に連結させた構造を持つ立体炊飯装置と、を備え、更に、各炊飯器の炊飯釜を昇降移動させる昇降手段と、各炊飯器の炊飯釜を排米装置側と個々の炊飯器側との間で水平移動させる水平移動手段を有し、前記炊飯釜の略全体を釜枠に収容させた状態で前記釜枠によって炊飯釜を移動させることを特徴とする立体炊飯システム。
【請求項２】
前記釜枠に炊飯釜を取り出すための開閉扉が設けられている請求項１記載の立体炊飯システム。
【請求項３】
前記炊飯釜の上蓋を該炊飯釜に落下させて取り付ける上蓋自動落し機構が炊飯器に設けられている請求項１または２記載の立体炊飯システム。
【発明の詳細な説明】
【０００１】
【発明の属する技術分野】
本発明は、立体炊飯システム、更に言えば、排米装置の隣接に立体炊飯装置を設けた立体炊飯システムに関する。
【０００２】
【従来の技術】
例えば、特開平１１−８９７１７号に、従来の立体炊飯システムが開示されている。この立体炊飯システムは、排米装置と、この排米装置のある一方の側に設けられ、炊飯器を複数段垂直に連結させた構造を持つ立体炊飯装置と、から成る。この立体炊飯システムでは、排米装置側に設けられた昇降手段によって各炊飯器の炊飯釜を昇降移動させることができるとともに、排米装置と個々の炊飯器とを連絡する連絡手段を通じて炊飯釜を排米装置側と個々の炊飯器側との間で水平移動させることができる。また、このシステムには、炊飯釜に上蓋を自動取付けするために、上蓋を引掛けるための複雑なリンク機構等が設けられており、また、このようなシステム構造に対応して、上蓋の所定位置に係止片が設けられている。
【０００３】
しかし、この種の従来立体炊飯システムでは、立体炊飯装置が排米装置の一つの側にのみ設けられていたことから、一度に多くの炊飯作業を行なうことができなかった。
【０００４】
また、この種の従来システムでは、炊飯釜を立体炊飯装置側から外部に取り出すとしていたため、立体炊飯装置に設けたコンロの熱などによって作業者がやけどを負う危険があった。
【０００５】
更に、この種の従来システムでは、取り出しにくい立体炊飯装置の下側から炊飯釜を取り出さなければならなかったり、逆に、上側から重い炊飯釜を取り出さなければならないといった不都合があった。
【０００６】
更にまた、この従来システムでは、炊飯釜に上蓋を自動取付けするために、システム、上蓋のそれぞれに、複雑な構造が必要とされていた。
【０００７】
【発明が解決しようとする課題】
本願発明は上の従来技術における問題点を解決するためになされたものであり、省スペースで大量炊飯を行なうことができる立体炊飯システムを提供することを目的とする。
【０００８】
また、炊飯釜の取り出しを排米装置側とすることによって、作業者がより安全に炊飯釜を取り出すことができ、更に、取り出し位置を作業者自身が自由に選択することができる立体炊飯システムを提供することを目的とする。
【０００９】
更に、システムの構造を複雑にすることなく、また、上蓋に特別な構造を設けることなく、より簡易な構造で炊飯釜に上蓋を自動取付けできる立体炊飯システムを提供することをも目的とする。
【００１２】
【課題を解決するための手段】
本発明の一つの観点によれば、排米装置と、この排米装置の隣接に設けられ、炊飯器を複数段垂直に連結させた構造を持つ立体炊飯装置と、を備え、更に、各炊飯器の炊飯釜を昇降移動させる昇降手段と、各炊飯器の炊飯釜を排米装置側と個々の炊飯器側との間で水平移動させる水平移動手段を有し、前記炊飯釜の略全体を釜枠に収容させた状態で前記釜枠によって炊飯釜を移動させることを特徴とする立体炊飯システムが提供される。
【００１３】
本発明の一つの実施形態によれば、前記釜枠に炊飯釜を取り出すための開閉扉が設けられている。
【００１４】
本発明の別の実施形態によれば、前記炊飯釜の上蓋を該炊飯釜に落下させて取り付ける上蓋自動落し機構が炊飯器に設けられている。
【００２０】
【発明の実施の形態】
以下、図面を参照して本発明の実施形態を説明する。
【００２１】
図１に、本発明の第一の実施形態による立体炊飯システムの正面図を示す。このシステム１には、排米装置２と、炊飯器３を複数段（図示実施例では３段）垂直に連結させた構造を持つ立体炊飯装置４、４’が含まれる。
【００２２】
立体炊飯装置４、４’は、排米装置２を中心にしてその隣接に、図１の例では排米装置２の左右側方に、互いに１８０度離間された状態で１個ずつ設けられている。特に図示しないが、これらの立体炊飯装置４を、排米装置２を中心に、互いに９０度離間させた状態で２方向に、例えば、炊飯釜を取り出すための排米装置２の正面と左側面（この左側面から炊飯釜を取り出すようにしてもよい）以外の面、即ち、排米装置２の背面と右側面に設けてもよいし（後述する図８に示されているような配置状態）、或いは、排米装置２を中心に、互いに９０度ずつ離間させた状態で３方向に、即ち、排米装置２の背面と左右両側面に設けてもよい。更にまた、後述する図８の実施形態のように、立体炊飯装置４を排米装置２の斜め後ろに設けてもよい。このように、立体炊飯装置４を、排米装置２の隣接（背面、左右側面の他、斜め後ろ等）に複数設けることにより、一度に作動させることができる炊飯器の数を大幅に増やすことができ、その一方で、省スペース化も図られる。
【００２３】
排米装置２は、各炊飯器３によって炊飯されるべき米を、これに必要な水とともに、各炊飯器３に割り当てられた直方形状の釜枠５に略全体が収容される炊飯釜９（後述する図２、図６参照）に分配供給する。米は外部の貯米槽２８から吸引によって抜き取り、送米ホース２９を通じて計量・洗米装置２７へ送り込む。ここで計量、洗米された米は、排米装置２の排米口６から、その下側に配置された釜枠５内の炊飯釜９（後述する図２、図６参照）へ、水加減された水とともに落下供給される。尚、貯米槽や計量・洗米装置は、排米装置２の一部として組み込まれていてもよい。
【００２４】
排米装置２には、釜枠５の移動、米の計量、洗米、炊飯量、炊飯時間等を総合的、自動的に制御する総合コントロールパネル７が設けられている。ユーザは、この総合コントロールパネル７の操作を通じてこれらの作業を制御することができる。また、ユーザは、各炊飯器３毎に設けられた個別コントロールパネル８を通じて、個々の炊飯器毎独立に手動操作によって、これらを制御することもできる。したがって本発明のシステムによれば、立体炊飯装置４、４’或いは、各立体炊飯装置４，４’に含まれる個々の炊飯器３を、全般的に全自動運転することができる他、各炊飯器３毎独立に、例えば、異なる米量や異なる種類の炊飯を行なうことができる。よって、この炊飯システムによれば、例えば、急な飛び込み炊飯、移動手段の故障時に対しても適切な対応を取ることができる。
【００２５】
排米装置２には、釜枠５を排米装置２の排米口６の下側で昇降移動させる昇降移動手段が設けられている。更に、排米装置側（２）と立体炊飯装置側（４）の間で釜枠５を水平移動させるため、これら排米装置側（２）と立体炊飯装置側（４）の間に左右水平移動手段も設けられている。図１には、特に、左右水平移動手段によって、右側の立体炊飯装置４の最上段の釜枠５を排米装置側（２）に水平移動させた後の状態が示されている。本発明では、これら昇降手段や左右水平移動手段によって、炊飯釜９（後述する図２、図６参照）自体を移動させるのではなく、該炊飯釜９の全体を釜枠５に収容させた状態で移動させるようにしている。この結果、炊飯釜の取り扱いを非常に容易なものとすることができる。
【００２６】
昇降手段には、モータ（図示されていない）や、モータによって昇降される昇降台１０、モータからの駆動力を昇降台１０に伝達するボールネジ３０、昇降台１０を案内し支持する案内支持棒１１等が含まれる。昇降台１０は案内支持棒１１に沿って上下動させることができ、その上に載置された釜枠５を昇降させる。
【００２７】
特に図示しないが、上述したように、立体炊飯装置４が、排米装置２を中心に、互いに９０度離間させた状態で２方向に、或いは、互いに９０度ずつ離間させた状態で３方向に設けられている場合には、双方の立体炊飯装置４からの炊飯釜をも移動させることができるよう、左右水平移動手段を９０度ターンさせて前後水平移動手段として用いることを可能にするターン装置（図示されていない）を設ける。
【００２８】
昇降手段と左右水平移動手段１２を組合せて用いることにより、本発明のシステムでは、各釜枠５を、各立体炊飯装置４、４’の個々の炊飯器側（３）と排米装置側（２）の間で自由に移動させることができる。これにより、作業者は、炊飯釜９の出し入れ位置を自由に選択することができるとともに、炊飯後或いは炊飯前の炊飯釜９の出し入れを楽に行なうことができる。更に、この場合には、炊飯後に、熱のこもった炊飯器側からではなく、熱から比較的遮断されていた排米装置側から炊飯釜９を取り出すことができるため、作業の安全化を図ることもできる。ただし、従来のように炊飯器側から取り出すことは勿論可能である。
【００２９】
図２、図３に、図１の立体炊飯システム１の概略部分斜視図を示す。図面簡略化のため、これらの図では、右側の立体炊飯装置４のみを総合コントロールパネル７（図１参照）を取り除いた状態で示している。
【００３０】
これらの図から明らかなように、昇降台１０を炊飯器３の高さ位置に移動し、排米装置２の昇降台１０の案内レール１３と各段の炊飯器３に設けた案内レール１４を連絡させることによって、排米装置側（２）と各立体炊飯装置の個々の炊飯器側（３）の間で釜枠５を自由に水平移動させることができる。これら昇降台１０の案内レール１３と各炊飯器３の案内レール１４は、昇降台１０を上下動させることによって容易に連絡され得る。尚、釜枠５の水平移動を容易なものとするため、釜枠５の底面には車輪３８（後述する図５等に示されている）が設けられている。
【００３１】
図２は、特に、中段の釜枠５が、案内レール１３、１４を通じて排米装置側（２）に水平移動されたときの状態を示し、図３は、特に、全ての釜枠５が立体炊飯装置側（４）にあり、且つ、上段と中段の釜枠５ａ、５ｂからは炊飯釜９が取り出され下段の釜枠５ｃにのみ炊飯釜９が残されたときの状態を示している。
【００３２】
これらの図から明らかなように、各釜枠５にそれぞれ、把持１５を有する開閉扉１６が設けられている。これらの開閉扉１６は、排米装置側（２）或いは立体炊飯装置側（３）のいずれかにあるときに正面側に向かって自由に開閉させることができ、釜枠５内部の炊飯釜９を取り出すことができる。また、立体炊飯装置４の各炊飯器３内部にはコンロ１７が、更に、その外壁には個別コントロールパネル８が、それぞれ設けられている。したがって、各炊飯器３それぞれによって米を炊飯することが可能である。
【００３３】
次に、図４を参照して、左右水平移動手段を詳細に説明する。この図は、排米装置裏側のある段（上段、中段、あるいは下段）における概略部分斜視図である。
【００３４】
左右水平移動手段１２の主要部は、排米装置側、特に、その昇降台１０の背面側側面に取り付けられている。この左右水平移動手段１２には、左右いずれの側にも回転し得るリバーシブルモータ１８と、このリバーシブルモータ１８によって回転されるチェーン１９と、このチェーン１９に取り付けられたフック２０と、このフック２０に対応して釜枠５、５’裏側の中心側端部に設けられ、フックボックス２０と係合し得る、矩形の筒状フックボックス２１等が含まれる。
【００３５】
この左右水平移動手段１２を用いて、例えば、図４の図面左側の釜枠５を排米装置側に移動させるときの動作方法を図５を参照して以下に説明する。
【００３６】
図５は、モータの回転による左右水平移動手段１２のチェーン１９の回転に伴うフック２０の位置とこのフック２０の移動に伴う釜枠５の位置が時間順に示したものである。尚、この図では、フック２０とフックボックス２１との係合を明らかにするため、フックボックス２１は断面で示されている。
【００３７】
釜枠５を排米装置側に移動させる際、リバーシブルモータ１８（図４参照）は右回りに回転される。このリバーシブルモータの回転に伴って、図５のａ）に示すように、チェーン１９はイ）の方向に回転し、フック２０もこの方向に移動する。更にフック２０が移動すると、図５のｂ）に示すように、フック２０はフックボックス２１の内部に収まり、フックボックス２１の内壁と当接する。以降、図５のｃ）に示すように、フック２０とフックボックス２１の当接を通じて、釜枠５はフック２０の移動とともに右側、即ち、排米装置側（２）へ移動される。釜枠５がちょうど排米装置２に来たときにモータの回転を停止させることにより、釜枠５は所定位置で停止する。尚、このとき、フック２０はフックボックス２１内に収まった状態にあるため、釜枠５に外力が働いてもこの停止位置は保たれる。
【００３８】
上とは逆に、排米装置側（２）に移動された釜枠５を立体炊飯装置側（４）に移動させるには、リバーシブルモータを逆転させて左回りに回転させてやればよい。これにより、上とは逆の手順で、排米装置側（２）の釜枠５を立体炊飯装置側（４）、即ち、図４の左側へ移動させることができる。尚、図５のｂ）から類推することができるように、この場合、釜枠５はフック２０の移動を通じて自然にフック２０との当接を解除され引き離されることから、釜枠５をモータ１８によって停止させたときのような振動を伴う機械的な停止ではなく、自然な状態でそれを停止させることができる。
【００３９】
また、上と同様の方法で、図４の右側の釜枠５’は、モータ１８を上とは逆に左回転させることによって排米装置側（２）へ移動させることができ、また、モータ１８を右回転させることによって再び右側、即ち、立体炊飯装置側（４）に移動させることができる。尚、フック２０は、図６のいずれの釜枠５、５’をも排米装置側（２）に移動させることができるように、通常は、チェーン１９の下側中央付近で止まっている（図示されていない）。
【００４０】
最後に、図６、７を参照して、炊飯釜に上蓋を自動的に取り付けるための上蓋自動落し機構を説明する。
【００４１】
図６は、特に、図１の右側の立体炊飯装置４の下段付近を部分拡大概略図で示したものである。尚、左側の立体炊飯装置４’や、上段、中段５については、これと全く同様に考えることができる。
【００４２】
炊飯を行なうにあたり、先ず、炊飯器３の上側に設けた上蓋自動落し機構２３に、炊飯釜９の上蓋２２が予めセットされる。セットされた上蓋２２は、以下に説明する蓋自動落し機構２３によって、炊飯開始前に炊飯釜９に自然落下されて、そこに取り付けられる。
【００４３】
図７に、上蓋自動落し機構２３を上蓋とともに概略斜視図で示す。ここで、図７のａ）は、上蓋自動落し機構２３に上蓋２２がセットされた状態を、一方、図７のｂ）は、この上蓋自動落し機構２３による上蓋２２の落下時における状態を、それぞれ示している。
【００４４】
これらの図に示されるように、上蓋自動落し機構２３は、モータ２４と、このモータ２４によって回転する回転軸２５と、上蓋２２を保持し又は落とすことができる略Ｌ字断面を持つ回転支持棒２６から成る。図７のａ）から明らかなように、上蓋２２のセット時に、上蓋２２はその周縁の２個所で２本の回転支持棒２６によって支持される。このとき上蓋２２は、回転支持棒２６のＬ字断面の一方の内壁３４に単に置かれた状態にあるだけで、固定はされていない。炊飯釜が収容された釜枠５が炊飯器３に配置されたことをチェックした後、図７のｂ）に示すように、モータ２４が駆動され、回転軸２５が回転する。この回転軸２５の回転により、回転軸２５に接触している回転支持棒２６がそれぞれロ）の方向に回転し、これにより、回転支持棒２６に置かれた上蓋２２が自然落下して、下側に配置された炊飯釜９に蓋をする。この結果、炊飯終了後に炊飯釜を取り出す際、何ら人の手を介さずに、上蓋２２が取付けられた状態でそれを取り出すことができる。
【００４５】
このように、自然落下作用によって上蓋を取付けるとしたことにより、システムの構造が非常に簡易化されている。また、このような構造としたことにより、上蓋２２を特別な構造とする必要もない。必要なのは、上蓋２２の寸法を上蓋落し機構にセットできるようなものとすることだけである。特に図示しないが、例えば、上蓋２２の寸法が図示実施例よりも小さければ、回転支持棒をスライドさせることによってそれらの間隔を調節してやればよい。このような間隔調節も簡易な構造で達成することができる。
【００４６】
また、特に図示しないが、各炊飯器３には、蓋２２や、炊飯釜９、或いは釜枠５の有無をチェックするセンサが取り付けられている。これらのチェックによっていずれかが欠けていることが明らかになった場合には、炊飯作業は中断され、したがって、上蓋２２も落下しない。
【００４７】
次に、図８、図９を参照して、第一の実施形態の改良にかかる、本発明の第二の実施形態による立体炊飯システムを説明する。
【００４８】
ここで、第二の実施形態を説明する前に、第一の実施形態における問題点を明らかにしたい。第一の実施形態における問題は、このシステムによって行なうことができる炊飯の数が制約されてしまう点にある。
【００４９】
上に説明したように、第一の実施形態による立体炊飯システムの昇降移動手段は、釜枠５を排米装置２の排米口６の下側で昇降移動させる構成とされていた。更に言えば、この構成では、昇降台１０の昇降移動範囲が昇降台上部の排米口６によって制限されてしまうということである。ところで、大量炊飯を可能にするには、立体炊飯装置における炊飯器の段数を増やすこと、したがって、立体炊飯装置の高さを高くすることが必要であるが、この場合には、この立体炊飯装置の高さに応じて、昇降移動手段によって昇降移動させることができる炊飯釜９の高さをも高くする必要がある。しかしながら、上に述べた第一の実施形態による構成では、昇降台１０の昇降移動範囲が排米口６の高さによって制限されてしまうことから、この要求を満足させることはできない。
【００５０】
また、排米装置２、特に、その排米口６付近は、日常清掃作業を必要とするため、容易に人の手が届く高さにしておくことが好ましいが、第一の実施形態による構成では、立体炊飯装置における炊飯器の段数を増やすのに伴って排米口の位置も上昇してしまうため、段数の増加も自ずと制約を受けることになる。
【００５１】
第二の実施形態による立体炊飯システムは、これらの問題を解消することを目的として開発された。以下、図８、図９を参照して、第二の実施形態によるシステムを説明する。
【００５２】
図８は、第一の実施形態の図２に相当する図、更に言えば、第二の実施形態による立体炊飯システムの概略部分斜視図である。
【００５３】
この図から明らかなように、この立体炊飯システム１Ａには、第一の実施形態の排米装置（２）に相当し得る排米装置２Ａと、第一の実施形態の立体炊飯装置（４）に相当し得る立体炊飯装置４Ａに加えて、更に、新たな装置である釜搬送装置５０Ａが設けられている。
【００５４】
この釜搬送装置５０Ａは、第一の実施形態の昇降移動手段に相当する部材、即ち、モータ（図示されていない）と、モータによって昇降される昇降台１０Ａ、モータから駆動力を昇降台１０Ａに伝達するボールネジ３０Ａ、および昇降台１０Ａを案内する案内支持棒１１Ａ等の全てを含む。したがって、この第二の実施形態では、第一の実施形態の排米装置２に相当し得る部材、即ち、排米装置２Ａに、昇降移動手段は含まれない（含める必要もない）。
【００５５】
釜搬送装置５０Ａは、排米装置２Ａと立体炊飯装置４Ａの双方に隣接して設けられている。具体的な位置関係は図８に明らかにされている。即ち、釜搬送装置５０Ａの正面に排米装置２Ａが、また、釜搬送装置５０Ａの右側面に立体炊飯装置４Ａが、それぞれ２方向に設けられている。この場合、排米装置２Ａから見れば、立体炊飯装置４Ａは、排米装置２Ａの斜め後ろ（隣接）に配置されているということもできる。特に図示しないが、立体炊飯装置を釜搬送装置５０Ａの右側面に設ける代わりに、その左側面に設けてもよいし、或いは、その両側面側に設けることもできる。
【００５６】
特に、釜搬送装置５０Ａが、排米装置とは別体で、排米装置の排米口６Ａの下側以外の部分に形成されている点に注目してもらいたい。この第二の実施形態による構成では、釜搬送装置５０Ａの上部に排米口は存在しない。したがって、第一の実施形態のように、釜搬送装置５０Ａの高さが排米口６Ａの高さによって制限されてしまうことはない。この結果、釜搬送装置５０Ａの昇降移動手段を、排米装置の排米口６Ａよりも高い位置に炊飯釜９を昇降移動させることができるような構成とすることができる。また、これに応じて、立体炊飯装置４Ａの炊飯器５Ａの段数を増やすこと、更に言えば、排米装置２Ａの排米口６Ａよりも高い位置に炊飯器３Ａ−２を有した立体炊飯装置を形成することができる。
【００５７】
また、この第二の実施形態の構成によれば、排米口６Ａの高さによって、立体炊飯装置２Ａの炊飯器３Ａの段数が制限されることはないから、その段数とは無関係に、任意の作業し易い位置に排米口６Ａを設けることができる。この場合、排米口６Ａの下側に設ける排米テーブル３１Ａは、第一の実施形態による昇降台のように昇降移動させる必要はない。したがって、排米口６Ａと同様に、排米テーブル３１Ａもまた、任意の作業し易い所定位置に固定して設けることができる。
【００５８】
次に、図８及び図９を参照して、釜枠（炊飯釜）の移動手順を説明する。図９は、排米口６Ａ付近における排米装置２Ａと釜搬送装置５０Ａの略図である。尚、図面簡略化のため、ここでは立体炊飯装置は省略した。
【００５９】
一例として、釜枠（炊飯釜）を、立体炊飯装置側（４Ａ）から釜搬送装置５０Ａを経由して排米装置側（２Ａ）へ移動させる手順を説明する。先ず、昇降台１０Ａを昇降移動させることにより、昇降台１０Ａ上に載置された前後移動テーブル３２Ａを、取り出したい釜枠５−１の高さ（例えば、図８に示した立体炊飯装置４Ａにおける下から２段目の位置）に合わせる。
【００６０】
昇降台１０Ａが所定の高さになった後、第一の実施形態で説明した左右水平移動手段（１２）を用いて、釜枠５Ａ−１を立体炊飯装置側（４Ａ）から釜搬送装置側（５０Ａ）へ（左側から右側へ）水平移動させる。このとき、釜枠５Ａ−１は、釜枠５Ａ−１底面に設けた車輪３８Ａが炊飯器３Ａ−１内の案内レール１４（図８）や前後移動テーブル３２Ａ上の左右案内レール３３Ａに沿って案内されるような状態で移動されるため、この移動の際に大きなずれを生じてしまうことはない。
【００６１】
次に、釜枠５Ａ−１が載置された前後移動テーブル３２Ａを昇降台１０Ａによって昇降移動させ、排米テーブル３１Ａの高さに合わせる。排米テーブル３１Ａと昇降台１０Ａの高さが同じになった時点で、釜枠５Ａ−１を前後移動テーブル３２Ａ上に載置させたままの状態で、前後移動テーブル３２Ａをボールネジ３５Ａ等を用いて排米装置側（２Ａ）、即ち、前側に水平移動させる。このとき、前後移動テーブル３２は、上と同様に、この前後移動テーブル３２底面に設けた車輪３９Ａが昇降台１０Ａ上の前後案内レール４１Ａや排米テーブル３１Ａ上の前後案内レール３６Ａに沿って案内されるような状態で移動されるため、この移動の際に大きなずれを生じてしまうことはない。
【００６２】
釜枠５Ａ−１が排米装置２Ａの所定位置に移動された後、釜枠５Ａ−１に収容した炊飯釜９に排米口６Ａから米が落下供給される。排米を受けた炊飯釜９は、その後、釜枠５Ａ−１に収容されたままの状態で、上とは逆の方法で元の炊飯器３−１（図８）の位置に戻され、炊飯される。
【００６３】
以上のように、この第二の実施形態では、取り分け、炊飯釜９を複雑に動かすことが必要であるが、本発明では炊飯釜９を釜枠５Ａに収容させた状態でそれを移動させていることから、そのような場合でも、作業を確実且つ容易に行なうことが可能である。
【００６４】
【発明の効果】
本発明によれば、大量炊飯を省スペースで同時に行なうことができる炊飯システムを提供することができる。また、炊飯釜の取り出しを排米装置側として、より安全に炊飯釜を取り出せることができるとともに、その取り出し位置を作業者が自由に選択することができる。更に、炊飯釜の上蓋を非常に簡易な構造で炊飯釜に自動取付けすることができる。更にまた、炊飯釜の全体を釜枠に入れた状態で移動させることができるため、取り扱いが容易である。
【図面の簡単な説明】
【図１】本発明の一実施形態による立体炊飯システムの正面図。
【図２】図１の立体炊飯システムの概略部分斜視図。
【図３】図１の立体炊飯システムの概略部分斜視図。
【図４】左右水平移動手段の概略部分斜視図。
【図５】左右水平移動手段による動作説明図。
【図６】立体炊飯装置の下段付近の部分拡大概略図。
【図７】上蓋自動落し機構を上蓋とともに示した概略斜視図。
【図８】第二の実施形態による立体炊飯システムの概略部分斜視図。
【図９】釜枠の移動手順を説明する図。
【符号の説明】
１    立体炊飯システム
２    排米装置
３    炊飯器
４、４’  立体炊飯装置
５    釜枠
６    排米口
７    総合コントロールパネル
８    個別コントロールパネル
９    炊飯釜
１０  昇降台
１１  案内支持棒
１２  左右水平移動手段
１３  案内レール
１４  案内レール
１６  開閉扉
１８  リバーシブルモータ
１９  フック
２０  フックボックス
２２  上蓋
２３  上蓋自動落し機構
２４  モータ
２５  回転軸
２６  回転支持棒
３０  ボールネジ
３１Ａ  排米テーブル
３２Ａ  前後移動テーブル
５０Ａ  釜搬送装置
【図１】
0003848509.tif 000002
【図２】
0003848509.tif 000003
【図３】
0003848509.tif 000004
【図４】
0003848509.tif 000005
【図５】
0003848509.tif 000006
【図６】
0003848509.tif 000007
【図７】
0003848509.tif 000008
【図８】
0003848509.tif 000009
【図９】
0003848509.tif 000010